(57)【要約】【課題】  従来のケーシングによるアンカーの埋設は、アンカーの円筒体の外周壁に羽根の部分を１周して設置する構造のアンカーを使用しておりました。そのため、アンカー自体が長く大きく、アンカーの運送、格納、材料、費用、等が問題になっております。【解決手段】  本発明のアンカーは、円筒体の下端に羽根を設置し、羽根の製作で出た残材を、羽根の下部に設置する先端爪として製作し、羽根の下部に設置する構造のアンカーで、残材を無駄なく使用するアンカーである。【選択図】図１
2018091119.tif 000002
【特許請求の範囲】
【請求項１】
図１の四角の鉄板１の大きさは、羽根９の外径より少し広い鉄板を使用し、鉄板１の中心２を本に円を内線３と外線４の２線を書く、内線３の円は、円筒体のアンカー５を設置する線で溶接で設置のため、円筒体５の外径より溶接する分、少し広く書く、外線４の円は、羽根９の大きさの外径を書く、そして鉄板１の切断は、鉄板１の中心２を本に、上部の鉄板１の横の半分より縦に内線３の円まで切断し、下部の鉄板１の横の半分より縦に内線３の円まで切断する、
そして、外線４の円を全部切断する、そして内線３の円の切断する位置は、羽根９の大きさにより切断する位置が変り、羽根９の大きさが小さければ切断は小さくなり、羽根９が大きければ切断の位置は大きくなります、基本的な切断の位置は鉄板１の中心２を本に鉄板１の横半分より縦に内線３まで切断した線６を本に鉄板１の中心２の本から４５度斜めの線７を書き、内線３の線と４５度の線７が交わる位置まで縦の切断線６より左、右、切断して製作してあるアンカーで、羽根が１ヶ所又は羽根が２ヶ所の場合はこの方法で製作し、羽根が３ヶ所の場合は、鉄板１の中心２を本に、上部の鉄板１の横半分より縦に内線３の円まで切断した線６を本に１２０度の所から中心２に向って内線３まで切断する、羽根が４ヶ所の場合は、縦の切断線６を本に９０度の所から中心２に向って、内線３まで切断して製作してあるアンカー。
【請求項２】
羽根９の曲げ方は、縦の切断線６を中心に相対して羽根９を曲げる、アンカー５が右回転する場合、縦の切断線６の回転する手前の羽根９を下側に折り、相対している羽根９を上側に折る、羽根９の折り方は、円の中心２より縦の切断線６を中心に４５度に折る、又は、どの様な角度で折っても良い、斜め線７の通りに折らなくても良い、羽根９を小さくする場合は、縦の切断線６を中心に、４０度や３０度等に折ると小さい羽根９になる、又は、５０度や６０度に折ると大きな羽根９になる。羽根９の折る角度は、土を掘削するに適した角度に折ってある、請求項１記載のアンカー。
【請求項３】
残材８−１８−２を図３の様に２個合わせて溶接し、先端爪１０とし、円筒体のアンカー５の外側の径と同じ寸法で、図３の様に切断する、斜めに切断する部分は、羽根９を折った角度なので、羽根９の角度で斜めに切断する、図４は羽根の背面図である、切断した４個の内、残材８−１８−２を先端爪１０として羽根９の下部に設置する、羽根９の下部に設置する際、先端爪１０と共に残材８−３を補強材として羽根９の下部中央に設置する、そして残りの残材８−４を直角を下側にして、先端爪１０に設置し、先端爪１０の補強、直角の先端で土の掘削を強化し残材を全部使用して作製して使用している、又は先端爪１０は、外の形の先端爪１０を使用しても良い、又は、条件により先端爪１０の先端に爪１１を設置してある、請求項１記載のアンカー。
【発明の詳細な説明】
【技術分野】電柱の支線用アンカーの製作方法【０００１】  本発明は電柱の支線用アンカーの円筒体の下端の羽根部分と、羽根部分の下部の先端爪の製作に関するものです。
【先行技術文献】
【０００２】
【特許文献】
【特許文献】特開  ２０１３−０７０７１５  特開  ２０１５−２１７９７３
【発明の開示】
【発明が解決しようとする課題】
【０００３】  従来、ケーシング用の先端具である、電柱の支線用アンカーの形状は、円筒体の外周壁に鉄板で製作した、スクリュー状の羽根を溶接して、土を掘削して地中を推進する様な形に製作しておりました。従来のこの方法により、鉄板をスクリュー状の羽根を製作するのには、特殊な機械や、方法で製作しており、だれもが簡単に製作出来るものではありません。又、円筒体の外周壁にスクリューの羽根を角度を付けて１周して溶接しておりますが、土を掘削するのに適した角度で溶接しますと、１周するのに円筒体の長さが長くなり、支線用アンカーの形が長く大きなものになります。支線用アンカーは、運送、格納、現場での使用、費用等、出来るだけ小さく製作しなければなりません。
【課題を解決しようとする手段】
【０００４】従来の鉄板のスクリュー状の羽根の件ですがスクリュー状の羽根ではなく、平らな鉄板を曲げるだけの方法で製作する。又、円筒体壁にスクリュー状の鉄板を１周溶接するのではなく円筒体下端に本発明の鉄板の羽根を溶接して設置する。そして本発明の鉄板の羽根の下部に土を掘削する先端爪を三角形状にして溶接して設置する。
本発明の形状は以上の通りですが従来、鉄板の丸い円の羽根を製作する時、四角い鉄板を丸く円に切断すると、残りの鉄板の四方に残材が出来ます。本発明は、四方に出来た残材を使用して、本発明の羽根の下部に設置する先端爪の材料にして先端爪を製作して残材を無駄のない一切の材料を使い切る本発明の支線用アンカーの製作です。
【０００５】本発明を図と共に説明すれば、図１の四角の鉄板１の大きさは、羽根９の外径より少し広い鉄板を使用し、鉄板１の中心２を本に円を内側の線３と外側の線４の２線を書きます。
内線３の円は円筒体の本体のアンカー５を設置する線です。溶接で設置するため、円筒体の外径より溶接する分を入れて広く書く、外線４の円は、羽根９の大きさの外径を書きます。そして鉄板１の横の半分より縦に内線３の円まで切断し、下部の鉄板１の横の半分より縦に内線３の円まで切断する。そして外線４の円を切断する。そして内線３の円の切断の切る位置は、羽根９の大きさにより切断の位置が変りますが、羽根９が小さければ切断は小さくなり、羽根９が大きければ切断は大きくなります。羽根９の基本的な切断の位置は、鉄板１の中心２を本に、鉄板１の横の半分より縦に内線３まで切断した線６を本に鉄板１の中心２の本から４５度斜めの線７を書き、内線３の線と４５度斜めの線７が交わる位置まで、縦の切断線６より内線右、左、を切断する、そして羽根が１ヶ所、又は羽根が２ヶ所の場合はこの方法で製作し、羽根が３ヶ所の場合は、鉄板１の中心２を本に、上部の鉄板１の横半分より縦に内線３の円まで切断した線６を本に１２０度の所から中心２に向って内線３まで切断する、羽根が４ヶ所の場合は、縦の切断線６を本に９０度の所から中心２に向って、内線３まで切断して製作する、そして鉄板１の左、右の残材８−１、８−２、８−３、８−４、を分けて切断する。
【０００６】  図２の様に羽根の曲げ方ですが、縦の切断線６を中心に相対して羽根９を曲げますが、アンカー５を右回転で使用するか、左回転で使用するかによって、羽根９の曲げる方向が違って来ます。アンカー５の本体が右回転で使用する時は、縦の切断線６の回転する手前の羽根９を下側に折り、相対している羽根９を上側に折る、折り方としては円の中心２より縦の切断線６を中心に４５度の線７で折る、又は、どの様な角度で折っても良い、羽根９をもう少し小さくする場合は４５度の線７を４０度や３０度等に折ると、小さい羽根９になる。もう少し大きな羽根にする場合は、５０度や６０度等に折ると大きな羽根９になる。折る角度は、土を掘削する角度に適した角度にする。
【０００７】  図３の様に羽根９が出来上がったら、羽根９の下部に設置する先端爪１０の製作をする。図３の様に残材８−１と８−２を２個合わせて溶接して先端爪１０とし、先端爪１０を円筒体のアンカー５の外側の径と同じ寸法で、図３の様に切断する。先端爪１０の斜めに切断する部分は羽根９を折った角度なので、羽根９の角度で斜めに切断する。
【０００８】  図４は、羽根９の背面図である。先端爪１０を羽根９の下部に設置しますが、先端爪１０の１個では弱すぎて無理なのでもう１個の残材８−３を補強として、又は、先端爪１０を羽根９の下部に直角に設置出来る様に先端爪１０と残材８−３とを直角に羽根９の下部に設置する。そして図２の様に残材８−４を直角の方を下にして、先端爪１０に設置し、両サイドは、羽根９に設置する。そして先端爪１０で土を掘削しながら地中を推進して行きますが、硬い地層で掘削出来ない場合は図２の様に先端爪１０の先端に、１本又は２本の爪１１を設置しながら掘削している。
【発明の効果】
【０００９】  本発明のアンカーは、円筒体の下端に羽根を設置するため円筒体の材料を短く使用するため、アンカー自体をコンパクトに製作出来る。そして羽根の作る残材で先端爪を製作し、残材が少ししか出ず、経済的に良い製作のアンカーです。
【産業上の利用可能性】
【００１０】  本発明のアンカーは従来のアンカーよりコンパクトに製作し１枚の鉄板でアンカーの羽根本体と、残りの残材でアンカーの先端爪を製作し、少しの残材しか出ない方法でアンカーを製作出来た。
【図面の簡単な説明】
【００１１】
【図１】、四角の鉄板の切断図
【図２】、アンカー全体図
【図３】、残材２個を合わせて溶接して切断した図
【図４】、アンカーの背面図
【符号の説明】
【００１２】１、  鉄板
２、  中心
３、  内線
４、  外線
５、  アンカー
６、  縦の切断線
７、  ４５度の線
８、  残材８−１、８−２、８−３、８−４
９、  羽根
１０、先端爪
１１、爪
【図１】
2018091119.tif 000003
【図２】
2018091119.tif 000004
【図３】
2018091119.tif 000005
【図４】
2018091119.tif 000006